(57)【要約】【課題】複数の出力手段を自由に組合せ、ユーザ独自の出力制御を指定できる装置を提供する。【解決手段】複数種類の警告を出力する複数の出力手段を有する警告出力装置において、前記出力手段の組合せを登録する登録手段と、当該警告出力装置の状態変化に応じて登録した組合せを決定する組合せ手段と、決定した組合せに応じて出力を制御する制御手段とを有することを特徴とする。【選択図】図２
2007228089.tif 000002
【特許請求の範囲】
【請求項１】
複数種類の警告を出力する複数の出力手段を有する警告出力装置において、
前記出力手段の組合せを登録する登録手段と、
当該警告出力装置の状態変化に応じて登録した組合せを決定する組合せ手段と、
決定した組合せに応じて出力を制御する制御手段とを有することを特徴とする警告出力装置。
【請求項２】
前記組合せ手段は、
前記各出力手段の出力時間を登録する手段と、
前記各出力手段の出力開始時間を登録する手段と、
前記各出力手段の出力終了時間を登録する手段とを有し、
前記制御手段は、前記登録された出力時間、出力開始時間及び出力終了時間に応じて出力を制御することを特徴とする請求項１に記載の警告出力装置。
【請求項３】
前記組合せ手段は、
前記出力手段の順番を指定及び登録する手段を有し、
前記制御手段は、指定及び登録された前記出力手段の順番に応じて出力を制御することを特徴とする請求項１又は２に記載の警告出力装置。
【請求項４】
前記組合せ手段は、
当該警告出力装置を使用するユーザを登録する手段と
ユーザに応じた出力手段の組合せを登録する手段と、
ユーザを認識する手段と、
ユーザに応じた出力手段の組合せを選択する手段とを有し、
前記制御手段は、選択された出力手段の組合せに応じて出力を制御することを特徴とする請求項１乃至３の何れか１項に記載の警告出力装置。
【請求項５】
前記組合せ手段は、
身体障害の属性に応じた出力手段の組合せを登録する手段と、
ユーザに応じた属性を登録する手段と、
ユーザに応じた属性を選択する手段と、
属性に応じた出力手段の組合せを選択する手段とを有し、
前記制御手段は、選択された出力手段の組合せに応じて出力を制御することを特徴とする請求項１乃至４の何れか１項に記載の警告出力装置。
【発明の詳細な説明】
【技術分野】
【０００１】
本発明は、音、光、振動等の複数の出力手段を制御する警告出力装置に関する。
【背景技術】
【０００２】
従来、装置の状態を出力する手段を複数有し、該通知手段から同時に出力を行う形態は存在する。例えば、装置の状態を遠隔にいるユーザに通知する呼び出しシステムというものがある。
【０００３】
具体例として、画像形成装置、あるいは課金装置に異常が発生した場合、無線信号により遠隔の報知装置に異常事態を通知する呼び出しシステムが考えられている（例えば、特許文献１参照）。
【０００４】
【特許文献１】特開２００２−２６８４８５号公報
【発明の開示】
【発明が解決しようとする課題】
【０００５】
しかしながら、従来の装置においては１つ又は２つ以上の出力手段を同時に起動する制御方法のみであった。出力タイミングや出力手段の組合せを自由に決めることができなかった。そのため、個々のユーザが希望する通知方法を選択することはできなかった。また、光、振動、音の出力強弱、出力時間の設定、および出力手段の選択・順番の設定ができなかった。
【０００６】
そこで、本発明の目的は、複数の出力手段を自由に組合せ、ユーザ独自の出力制御を指定できる装置を提供することにある。
【課題を解決するための手段】
【０００７】
本発明の警告出力装置は、複数種類の警告を出力する複数の出力手段を有する警告出力装置において、前記出力手段の組合せを登録する登録手段と、当該警告出力装置の状態変化に応じて登録した組合せを決定する組合せ手段と、決定した組合せに応じて出力を制御する制御手段とを有することを特徴とする。
【発明の効果】
【０００８】
本発明によれば、複数の出力手段を自由に組合せ、ユーザ独自の出力制御を指定できることが可能となる。
【発明を実施するための最良の形態】
【０００９】
以下、本発明を適用した好適な実施形態を、添付図面を参照しながら詳細に説明する。
【００１０】
図１は、本発明の実施形態に係る出力装置の外観を示す図である。警告出力装置１０１にエラー１０２が発生した場合、光による通知１０３、音による通知１０４、振動による通知１０５等の通知方法の組合せにより、ユーザにエラー１０２を知らせるものである。離れた場所にいるユーザに対して振動機能を有した受信機１０６で該装置のエラーを知らせる構成も可能である。
【００１１】
−第１の実施形態−
先ず、本発明の第１の実施形態について説明する。
図２は、本発明の第１の実施形態に係る警告出力装置の機能構成を示す図である。システムコントローラ２００は、光による通知１０３、音による通知１０４及び振動による通知１０５等の通知方法を入力する入力手段２０１、該通知方法を登録する登録手段２０２、警告出力装置１０１のエラー１０２を検知する状態検知手段２１０、該通知方法の組合せを決定する通知組合せ決定手段２２０を備える。
【００１２】
また、警告出力装置１０１は、該通知方法の組合せを制御する組合せ制御手段２３０、装置外部へ光で出力する光通知手段２４０、装置外部へ音で出力する音通知手段２５０、装置外部へ振動で出力する振動通知手段２６０を有している。
【００１３】
図３は光、音、振動の各出力の組合せパターンをモード番号で示したものである。この例では各モード番号の各出力の順番は固定である。モード１の３０１は光のみ出力することを示している。モード２の３０２は音のみ出力することを示している。モード３の３０３は振動のみ出力することを示している。モード４の３０４は光、音の順に出力することを示している。モード５の３０５は光、音、振動の順に出力することを示している。
【００１４】
図４は、図３の各モード出力開始タイミングと出力終了タイミングを示した図である。  この例では出力時間は固定値である。
モード１の４０１では、エラー１０２検知後、光が１０秒間出力されることを示している。
モード２の４０２では、エラー１０２検知後、音が１０秒間出力されることを示している。
モード３の４０３では、エラー１０２検知後、振動が１０秒間出力されていることを示している。
モード４の４０４では、エラー１０２検知後、光が１０秒間出力され、光の出力終了後に音が１０秒間出力されることを示している。
モード５の４０５では、エラー１０２検知後、光が１０秒間出力される。その光の出力終了後に音が１０秒間出力される。その音の出力終了後に振動が１０秒間出力される。
【００１５】
以下に、出力までの基本処理について、順序を追って説明する。図５は本実施形態の各モードを登録する手段を説明するためのフローチャートである。
【００１６】
ステップ５０１において、各モードのデータ作成処理が行われ、ステップ５０２において該モードの入力処理が行われる。ステップ５０３において該モードの登録処理が行われる。
【００１７】
図６は、該モードの変更処理を説明するためのフローチャートである。
ステップ６０１において、該モードのデータ作成処理が行われ、ステップ６０２において該モードの入力処理が行われる。ステップ６０３において変更指示されたモード番号があるか否かの判定を行う。
【００１８】
次にステップ６０３の判定において該モード番号がある場合は、ステップ６０４において該モードの登録処理を行う。
【００１９】
またステップ６０３の判定において該モード番号がない場合は変更処理を行わない。
【００２０】
図７は、該モードのデータ作成処理を説明するためのフローチャートである。
ステップ７０１において、各出力方法の組合せパターンに対応するモード番号の作成処理が行われ、ステップ７０２において各出力方法とモード番号の組合せパターンの作成処理が行われる。
【００２１】
図８は、該モードの選択処理を説明するためのフローチャートである。
ステップ８０１においてモード番号の入力処理が行われる。ステップ８０２において該モード番号があるか否かの判定を行う。
【００２２】
次にステップ８０２の判定において該モード番号がある場合は、ステップ８０３においてモード番号選択処理を行う。
【００２３】
またステップ８０２の判定において該モード番号がない場合は、デフォルトの設定に戻る。
【００２４】
図９は、エラーの出力処理を説明するためのフローチャートである。ステップ９０１において該装置の状態に変化があるか否かの判定を行う。
【００２５】
次にステップ９０１において警告出力装置の状態に変化がある場合は、ステップ９０２において出力方法を決定する処理を行う。さらにステップ９０３において出力処理を行う。
【００２６】
図１０は、出力方法を決定する処理を説明するためのフローチャートである。ステップ１００１において指定されたモード番号の確認処理を行う。ステップ１００２においてモードに応じた出力の組合せを決定する処理を行う。
【００２７】
−第２の実施形態−
次に、本発明の第２の実施形態について説明する。
図１１は、本発明の第１の実施形態に加え、各モードにおいて各出力手段の出力を開始する時間及び出力を終了する時間を登録する手段を有する装置の機能構成を示す図である。
【００２８】
システムコントローラ２０００は、モードを入力する入力手段２００１、出力の組合せを登録する登録手段２００２、出力を開始する時間および終了する時間を登録する時間登録手段２００３を備えている。
【００２９】
また、システムコントローラ２０００は、エラー１０２を検知する状態検知手段２０１０、検知したエラー１０２に対して該モードの組合せを決定する通知組合せ決定手段２０２０、検知したエラー１０２に対して該モードの組合せを制御する組合せ制御手段２０３０を備えている。
【００３０】
また、システムコントローラ２０００は、検知したエラー１０２に対して該モードの出力を開始する時間および出力を終了する時間を制御する時間制御手段２０３１、該光通知手段２０４０、該音通知手段２０５０、該振動通知手段２０６０を有している。
【００３１】
図１２は、各モードにおいて各出力手段の出力を開始する時間及び終了する時間との関連を説明した図である。
【００３２】
モード１の２１０１は光の出力のみである。出力時間は１０秒である。モード２の２１０２は光と音の出力の組合せである。光の出力時間は１０秒間である。音の出力は、光の出力がスタートしてから１０秒後に出力を開始し、２０秒後に終了することを示し、出力時間は１０秒である。
【００３３】
モード３の２１０３は光と音と振動の出力の組合せである。光の出力時間は１０秒である。音の出力は、光の出力がスタートしてから５秒後に出力を開始し、２０秒後に終了することを示し、出力時間は１５秒である。振動の出力は、光の出力がスタートしてから２０秒後に出力を開始し、３０秒後に終了することを示し、出力時間は１０秒である。
【００３４】
モード４の２１０４は光と音の出力の組合せである。光の出力時間は２０秒である。音の出力は、光の出力がスタートしてから１０秒後に出力を開始し、３０秒後に終了することを示し、出力時間は２０秒である。
【００３５】
モード５の２１０５は光と音と振動の出力の組合せである。光の出力時間は１５秒間である。音の出力は、光の出力がスタートしてから１０秒後に出力を開始し、２５秒後に終了することを示し、出力時間は１５秒である。
【００３６】
振動の出力は、光の出力がスタートしてから１５秒後に出力を開始し、３０秒後に終了することを示し、出力時間は１５秒である。
【００３７】
図１３は、図１２の各モードにおいて各出力手段の出力開始タイミングと出力終了タイミングを示した図である。
【００３８】
モード１の２２０１ではエラー検知後、光が１０秒間出力されることを示している。モード２の２２０２ではエラー検知後、光が１０秒間出力され、光の出力がスタートしてから１０秒後に音が１０秒間出力されることを示している。
【００３９】
モード３の２２０３ではエラー検知後、光が１０秒間出力され、光の出力がスタートしてから５秒後に音が１５秒間出力される。次に光の出力がスタートしてから２０秒後に振動が１０秒間出力されることを示している。
【００４０】
モード４の２２０４ではエラー検知後、光が２０秒間出力され、光の出力がスタートしてから１０秒後に音が２０秒間出力されることを示している。
【００４１】
モード５の２２０５ではエラー検知後、光が１５秒間出力され、光の出力がスタートしてから１０秒後に音が１５秒間出力される。
【００４２】
次に光の出力がスタートしてから１５秒後に振動が１５秒間出力されることを示している。
【００４３】
フローチャート図５、図６、図７、図８、図９、図１０は本実施形態においても同じであるため、説明を省略する。第１の実施形態と異なるフローは、以下の図１４のフローチャートである。
【００４４】
図１４は、第１の実施形態に加え、各モードにおける出力手段の出力を開始する時間及び終了する時間の作成処理を説明するためのフローチャートである。
【００４５】
ステップ２３０１においてモード番号を作成し、ステップ２３０２において該モードの出力組合せの作成を行う。ステップ２３０３において出力を開始する時間及び終了する時間を作成する。
【００４６】
−第３の実施形態−
次に、本発明の第３の実施形態について説明する。図１５は、本発明の第２の実施形態に加え、各モードにおいて各出力手段の出力の順番を登録する手段および通知手段の順番を制御する手段を有する警告出力装置の機能構成を示す図である。
【００４７】
システムコントローラ３０００は、モード番号を入力する入力手段３００１、出力の組合せを登録する組合せ登録手段３００２、出力を開始する時間および終了する時間を登録する時間登録手段３００３を備えている。
【００４８】
また、システムコントローラ３０００は、出力の順番を登録する順番登録手段３００４、エラー１０２を検知する状態検知手段３０１０、検知したエラー１０２に対して該モードの出力の組合せを決定する通知組合せ決定手段３０２０、検知したエラー１０２に対して該モードの通知の組合せを制御する組合せ制御手段３０３０を備えている。
【００４９】
また、システムコントローラ３０００は、検知したエラー１０２に対して該モード通知の組合せの出力を開始する時間および出力を終了する時間を制御する時間制御手段３０３１、検知したエラー１０２に対して該モード出力の組合せの順番を制御する順番制御手段３０３２、該光通知手段３０４０、該音通知手段３０５０、該振動通知手段３０６０を有している。
【００５０】
図１６は、各モードにおいて各出力手段と出力開始タイミングおよび出力終了タイミング、そして出力の順番との関連を説明した図である。
【００５１】
モード１の３１０１は光のみの出力である。出力時間は１０秒である。モード２の３１０２は音のみの出力である。出力時間は１０秒である。モード３の３１０３は振動のみの出力である。出力時間は１０秒である。
【００５２】
モード４の３１０４は光と音の出力である。音の出力を１番目に指定する。出力時間は２０秒である。次に光の出力を２番目に指定し、音の出力開始後１０秒後に出力を開始し、３０秒後に終了することを示し、出力時間は２０秒である。
【００５３】
モード５の３１０５は光と音と振動の出力である。音の出力を１番目に指定する。出力時間は１５秒間である。次に振動の出力を２番目に指定する。音の出力開始後１０秒後に出力を開始し、２５秒後に終了することを示し、出力時間は１５秒である。
【００５４】
次に光の出力を３番目に指定する。音の出力開始後１５秒後に出力を開始し、３０秒後に終了することを示し、出力時間は１５秒である。
【００５５】
図１７は、図１６の各モードにおいて各出力手段の出力開始タイミングと出力終了タイミング、そして出力の順番との関連を示した図である。
【００５６】
モード１の３２０１ではエラー検知後、光が１０秒間出力されることを示している。モード２の３２０２ではエラー検知後、音が１０秒間出力されることを示している。モード３の３２０３ではエラー検知後、振動が１０秒間出力されることを示している。
【００５７】
モード４の３２０４ではエラー検知後、１番目に指定された音が２０秒間出力され、次に音の出力開始後１０秒後に２番目に指定された光が２０秒間出力されることを示している。
【００５８】
モード５の３２０５ではエラー検知後、１番目に指定された音が１５秒間出力され、次に音の出力開始後１０秒後に２番目に指定された振動が１５秒間出力される。
【００５９】
次に音の開始後１５秒後に３番目に指定された光が１５秒間出力されることを示している。
【００６０】
フローチャート図５、図６、図７、図８、図９、図１０は本実施形態においても同じであるため、説明を省略する。第１及び第２の実施形態と異なるフローは、以下の図１８のフローチャートである。
【００６１】
図１８は、本発明の第２の実施形態に加え、各モードに対する出力の順番を作成する処理を説明するフローチャートである。
【００６２】
ステップ３３０１においてモード番号を作成し、ステップ３３０２において出力組合せの作成を行う。ステップ３３０３において出力を開始する時間および終了する時間を作成する。ステップ３３０４において出力の順序を作成する。
【００６３】
−第４の実施形態−
次に、本発明の第４の実施形態について説明する。
図１９は、本発明の第３の実施形態に加え、ユーザを認識する手段およびユーザを登録する手段およびユーザと出力手段の組合せを登録する手段を有する装置の機能構成を示す図である。
【００６４】
システムコントローラ４０００は、モード番号を入力する入力手段４００１、ユーザを認識するユーザ認識手段４００２、ユーザを登録するユーザ登録手段４００３、ユーザとモード番号の組合せを行うユーザ組合せ手段４００４を有する。
【００６５】
また、システムコントローラ４０００は、出力の組合せを登録する組合せ登録手段４００５、各出力手段の出力を開始する時間および出力を終了する時間を登録する時間登録手段４００６、出力の順序を登録する順序登録手段４００７、エラー１０２を検知する状態検知手段４０１０を有する。
【００６６】
また、システムコントローラ４０００は、通知の組合せを決定する通知組合せ決定手段４０２０、出力の組合せを制御する組合せ制御手段４０２１、出力時間を制御する時間制御手段４０２２、出力の順序を制御する順番制御手段４０２３、該光通知手段４０４０、該音通知手段４０５０、該振動通知手段４０６０を有している。
【００６７】
図２０は、ユーザを識別するためのユーザＩＤ番号とモード番号の対応を示している。
ユーザＡの４１０１はモード番号１に対応している。ユーザＢの４１０２はモード番号２に対応している。ユーザＣの４１０３はモード番号３に対応している。ユーザＤの４１０４はモード番号４に対応している。ユーザＥの４１０５はモード番号５に対応している。
【００６８】
図２１は、第３の実施形態に加え、ユーザ作成処理およびユーザと該モードの組合せを作成する処理を説明するデータ作成処理のフローチャートである。
【００６９】
ステップ４２０１においてモード番号を作成する。ステップ４２０２において出力の組合せを作成する。ステップ４２０３において出力を開始する時間および終了する時間を作成する。ステップ４２０４において出力順序を作成する。ステップ４２０５においてユーザＩＤ番号を作成する。ステップ４２０６においてユーザＩＤ番号とモード番号の組合せを作成する。
【００７０】
フローチャートの図５、図６、図７、図８、図９、図１０は本実施形態においても同じであるため、説明を省略する。
【００７１】
図２２は警告出力装置がユーザを認識する処理を説明するためのフローチャートである。ステップ４３０１においてユーザＩＤ番号を入力する。ステップ４３０２において該ユーザＩＤ番号があるか否かの判断を行う。次にステップ４３０２において該ユーザＩＤ番号がある場合は、ステップ４３０３においてユーザＩＤ番号を選択する。またステップ４３０２において該ユーザＩＤ番号がない場合はデフォルトの設定に戻る。
【００７２】
図２３は、ユーザ名を選択する処理を説明するためのフローチャートである。ステップ４４０１においてユーザ名を入力する。ステップ４４０２において該ユーザ名があるか否かの判定を行う。次にステップ４４０２において該ユーザ名がある場合は、ステップ４４０３においてユーザ名の選択を行う。またステップ４４０２において該ユーザ名がない場合は、デフォルトの設定に戻る。
【００７３】
−第５の実施形態−
次に、本発明の第５の実施形態について説明する。
図２４は、本発明の第４の実施形態に加え、各ユーザの身体障害属性を組み合わせる手段および各ユーザと各身体障害属性の組合せを登録する手段を有する該装置の機能構成を示す図である。身体障害属性とは、視覚障害、聴覚障害、肢体不自由等の種類である。
【００７４】
システムコントローラ５０００は、モード番号を入力する入力手段５００１、ユーザを認識するユーザ認識手段５００２、ユーザを登録するユーザ登録手段５００３、ユーザの身体障害属性とモードの出力の組合せを行う属性組合せ手段５００４を有する。
【００７５】
また、システムコントローラ５０００は、ユーザと身体障害属性の組合せを行うユーザと属性の組合せ手段５００５、出力の組合せを登録する組合せ登録手段５００６、出力を開始する時間および終了する時間を登録する時間登録手段５００７、出力の順序を登録する順序登録手段５００８を有する。
【００７６】
また、システムコントローラ５０００は、エラー１０２を検知する状態検知手段５０１０、出力手段の組合せを決定する通知組合せ決定手段５０２０、出力を制御する組合せ制御手段５０２１、出力を開始する時間および終了する時間を制御する時間制御手段５０２２を有する。
【００７７】
また、システムコントローラ５０００は、出力の順序を制御する順番制御手段５０２３、該光通知手段５０４０、該音通知手段５０５０、該振動通知手段５０６０を有している。
【００７８】
次に図２５にユーザＩＤ番号と身体障害属性の対応例、および身体障害属性とモード番号の対応の例を示す。
【００７９】
ユーザＡの５１０１は属性の聴覚１に対応している。ユーザＢの５１０２は属性の視覚１に対応している。ユーザＣの５１０３は属性の肢体１に対応している。ユーザＤの５１０４は属性の聴覚２に対応している。ユーザＥの５１０５は属性の視覚２に対応している。
【００８０】
属性の聴覚１の５１０６はモード番号１に対応している。属性の視覚１の５１０７はモード番号２に対応している。属性の視覚２の５１０８はモード番号３に対応している。属性の肢体１の５１０９はモード番号４に対応している。属性の聴覚２の５１１０はモード番号５に対応している。
【００８１】
フローチャート図５、図６、図７、図８、図９、図１０は本実施形態においても同じであるため、説明を省略する。第４の実施形態と異なるフローはデータ作成処理を行う部分である。以下は、このデータ作成処理を説明するフローチャートである。
【００８２】
図２６は、第４の実施形態に加え、身体障害属性のデータを作成する処理、身体障害属性とユーザＩＤ番号の組み合わせを行う処理、ユーザＩＤ番号と身体障害属性の組合せ作成処理を説明するためのフローチャートである。
【００８３】
ステップ５２０１においてモード番号作成処理を行う。ステップ５２０２において出力の組合せ作成処理を行う。ステップ５２０３において出力を開始する時間および終了する時間を作成する処理を行う。ステップ５２０４において出力の順序を作成する処理を行う。ステップ５２０５においてユーザＩＤ番号を作成する処理を行う。ステップ５２０６において身体障害属性のデータ作成処理を行う。ステップ５２０７において身体障害属性とモード番号の組合せを作成する処理を行う。ステップ５２０８においてユーザＩＤ番号と身体障害属性の組合せを作成する処理を行う。
【００８４】
（ユーザＤが該装置を使う時の例）
ユーザＤは、障害属性：聴覚２の５１０４に対応している。障害属性：聴覚２はモード番号５の５１１０の通知手段の組合せに対応している。モード番号５の通知手段の組合せ３２０５は、該装置がエラー検知後、１番目に指定された音が１５秒間出力され、次に音の出力後１０秒後に２番目に指定された振動が１５秒間出力されることを示している。次に音の出力後１５秒後に３番目に指定された光が１５秒間出力されることを示している。
【００８５】
上記実施形態によれば、ユーザの身体障害の属性に応じて光、音、振動等の複数の出力手段により、警告、エラー等の装置の状態を知ることが可能となる。つまり、ユーザ自らが出力手段を設定するだけでなく、出力装置がユーザの身体障害の属性に応じて出力手段を認識することが可能となり、ユーザに対して最適な警告、エラー等の出力を行うことができる。
【００８６】
また、本発明の目的は、前述した実施形態の機能を実現するソフトウェアのプログラムコードを記録した記憶媒体をシステム或いは装置に供給し、そのシステム等のコンピュータが記憶媒体からプログラムコードを読み出し実行することによっても達成される。
【００８７】
この場合、記憶媒体から読み出されたプログラムコード自体が前述した実施形態の機能を実現することになり、プログラムコード自体及びそのプログラムコードを記憶した記憶媒体は本発明を構成することになる。
【００８８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００８９】
また、コンピュータが読み出したプログラムコードの指示に基づき、コンピュータ上で稼動しているＯＳ等が実際の処理の一部又は全部を行い、その処理によって前述した実施形態の機能が実現される場合も含まれる。
【００９０】
さらに、記憶媒体から読み出されたプログラムコードが、コンピュータに接続された機能拡張ユニット等に備わるメモリに書込まれた後、そのプログラムコードの指示に基づきＣＰＵ等が実際の処理を行い、前述した実施形態の機能が実現される場合も含まれる。
【図面の簡単な説明】
【００９１】
【図１】本発明の実施形態に係る警告出力装置の装置概念図である。
【図２】本発明の実施形態に係る警告出力装置の機能構成を示す図である。
【図３】光、音、振動の各出力の組合せパターンをモード番号で示した図である。
【図４】図３の各モード出力開始タイミングと出力終了タイミングを示した図である。
【図５】各モードを登録する手段を説明するためのフローチャートである。
【図６】各モードの変更処理を説明するためのフローチャートである。
【図７】各モードのデータ作成処理を説明するためのフローチャートである。
【図８】各モードの選択処理を説明するためのフローチャートである。
【図９】エラーの出力処理を説明するためのフローチャートである。
【図１０】出力方法を決定する処理を説明するためのフローチャートである。
【図１１】各モードにおいて各出力手段の出力を開始する時間および出力を終了する時間を登録する手段を有する装置の機能構成を示す図である。
【図１２】ユーザ作成処理およびユーザと該モードの組合せを作成する処理を説明するデータ作成処理を示すフローチャートである。
【図１３】図１２の各モードにおいて各出力手段の出力開始タイミングと出力終了タイミングを示した図である。
【図１４】本発明の第１の実施形態に加え、各モードにおける出力手段の出力を開始する時間および終了する時間の作成処理を説明するためのフローチャートである。
【図１５】各モードにおいて各出力手段の出力の順番を登録する手段および通知手段の順番を制御する手段を有する警告出力装置の機能構成を示す図である。
【図１６】各モードにおいて各出力手段と出力開始タイミングおよび出力終了タイミング、そして出力の順番との関連を説明するための図である。
【図１７】各モードにおいて各出力手段の出力開始タイミングと出力終了タイミング、そして出力の順番との関連を示した図である。
【図１８】各モードに対する出力の順番を作成する処理を説明するためのフローチャートである。
【図１９】ユーザを認識する手段およびユーザを登録する手段およびユーザと出力手段の組合せを登録する手段を有する装置の機能構成を示す図である。
【図２０】ユーザを識別するためのユーザＩＤ番号とモード番号の対応を示す図である。
【図２１】ユーザ作成処理およびユーザと該モードの組合せを作成する処理を説明するデータ作成処理を示すフローチャートである。
【図２２】警告出力装置がユーザを認識する処理を説明するためのフローチャートである。
【図２３】ユーザ名を選択する処理を説明するためのフローチャートである。
【図２４】第４の実施形態に加え、各ユーザの身体障害属性を組み合わせる手段および各ユーザと各身体障害属性の組合せを登録する手段を有する該装置の機能構成を示す図である。
【図２５】ユーザＩＤ番号と身体障害属性の対応例、および身体障害属性とモード番号の対応の例を示す図である。
【図２６】身体障害属性のデータを作成する処理、身体障害属性とユーザＩＤ番号の組み合わせを行う処理、ユーザＩＤ番号と身体障害属性の組合せ作成処理を説明するためのフローチャートである。
【符号の説明】
【００９２】
１０１  警告出力装置
１０２  エラー
１０３、１０４、１０５  通知
１０６  受信機
２００、２０００、３０００、４０００、５０００  システムコントローラ
２０１、２００１、３００１、４００１、５００１  入力手段
２０２  登録手段
２１０、２０１０、３０１０、４０１０、５０１０  状態検知手段
２２０、２０２０、３０２０、４０２０、５０２０  通知組合せ決定手段
２３０、２０３０、３０３０、４０２１、５０２１  組合せ制御手段
２４０、２０４０、３０４０、４０４０、５０４０  光通知手段
２５０、２０５０、３０５０、４０５０、５０５０  音通知手段
２６０、２０６０、３０６０、４０６０、５０６０  振動通知手段
２００２、３００２、４００５、５００６  組合せ登録手段
２００３、３００３、４００６、５００７  時間登録手段
２０３１、３０３１、４０２２、５０２２  時間制御手段
３００４  順番登録手段
３０３２、４０２３、５０２３  順番制御手段
４００２、５００２  ユーザ認識手段
４００３、５００３  ユーザ登録手段
４００４  ユーザ組合せ手段
４００７、５００８  順序登録手段
５００４  属性組合せ手段
５００５  ユーザと属性の組合せ手段
【図１】
2007228089.tif 000003
【図２】
2007228089.tif 000004
【図３】
2007228089.tif 000005
【図４】
2007228089.tif 000006
【図５】
2007228089.tif 000007
【図６】
2007228089.tif 000008
【図７】
2007228089.tif 000009
【図８】
2007228089.tif 000010
【図９】
2007228089.tif 000011
【図１０】
2007228089.tif 000012
【図１１】
2007228089.tif 000013
【図１２】
2007228089.tif 000014
【図１３】
2007228089.tif 000015
【図１４】
2007228089.tif 000016
【図１５】
2007228089.tif 000017
【図１６】
2007228089.tif 000018
【図１７】
2007228089.tif 000019
【図１８】
2007228089.tif 000020
【図１９】
2007228089.tif 000021
【図２０】
2007228089.tif 000022
【図２１】
2007228089.tif 000023
【図２２】
2007228089.tif 000024
【図２３】
2007228089.tif 000025
【図２４】
2007228089.tif 000026
【図２５】
2007228089.tif 000027
【図２６】
2007228089.tif 000028